(57)【要約】【課題】レバーの突出を無くすとともに、見付け幅寸法を小さくできるようにしたアシスト機構付引手を備え、かつ障子を閉め切る際、窓枠の縦枠において障子よりも室内側位置に見付け方向内側に突出する突条片と引手との間に指が挟まれるような事故を未然に回避したサッシ窓を提供する。【解決手段】窓枠１６内部に外障子１４と内障子１５とがスライド可能に設置されるとともに、前記外障子１４の窓枠側縦框及び／又は前記内障子１５の窓枠側縦框にアシスト機構付引手１が取り付けられ、かつ前記窓枠１６の内、少なくとも一方側の縦枠において、前記障子よりも室内側位置に、見付け方向内側に突出する突条片１６ａが部材長手方向に沿って設けられているサッシ窓Ｗにおいて、前記縦枠の突条片１６ａに、前記アシスト機構付引手１の取付位置に対応する部位が縦方向に所定範囲で切り欠かれた切欠き部１６ｂを形成する。【選択図】図１
2010174540.tif 000002
【特許請求の範囲】
【請求項１】
窓枠内部に外障子と内障子とがスライド可能に設置されるとともに、前記外障子の窓枠側縦框及び／又は前記内障子の窓枠側縦框に操作レバーの揺動に伴って揺動動作し窓枠を蹴り出して初期始動力を与えるアシスト機構付引手が取り付けられ、かつ前記窓枠の内、少なくとも一方側の縦枠において、前記障子よりも室内側位置に、見付け方向内側に突出する突条片が部材長手方向に沿って設けられているサッシ窓において、
前記縦枠の突条片は、前記アシスト機構付引手の取付位置に対応する部位が縦方向に所定範囲で切り欠かれていることを特徴とするサッシ窓。
【請求項２】
前記アシスト機構付引手は、台座部と、この台座部の上面に重ねて配置されるとともに、下端側又は上端側で前記台座部に軸支されることにより揺動自在とされ、かつ前記台座部の見付け幅とほぼ同等の見付け幅とされる操作レバーと、前記台座部に形成された凹部又は段部に配置され、中間部が前記台座部に軸支され揺動自在とされるとともに、前記台座部と操作レバーとが軸支されている側の端部が前記操作レバーに軸支され、前記操作レバーの揺動に伴って揺動動作し窓枠を蹴り出して初期始動力を与える蹴出し部材とから構成されている請求項１記載のサッシ窓。
【請求項３】
前記突条片の切欠き部を覆うキャップ材を取り付けてある請求項１、２いずれかに記載のサッシ窓。
【請求項４】
前記縦枠には障子に近接させて第２の突条片が形成されるとともに、この第２突条片が前記アシスト機構付引手の蹴出し部材が当接する当接部材とされ、前記キャップ材に、前記第２突条片の蹴出し部材当接部位を覆う当接カバー部を一体的に形成してある請求項３記載のサッシ窓。
【請求項５】
板状部材の上下端部にそれぞれ前記突条片の切欠き縁が嵌合される定着部が形成されるとともに、中間部に前記第２突条片の蹴出し部材当接部位を覆う当接カバー部が形成されたことを特徴とする請求項１〜４いずれかに記載のサッシ窓に用いられるキャップ材。
【発明の詳細な説明】
【技術分野】
【０００１】
本発明は、引戸を開操作する初期始動時に、小さな力で開操作ができるようにしたアシスト機構（開放補助機構）付引手が窓枠に取り付けられたサッシ窓及びこれに用いられるキャップ材に関する。
【背景技術】
【０００２】
サッシに代表される引戸においては、引戸が閉められている状態の気密性を高めるために、戸先の縦框と窓枠又は開口枠との間に、ビードやモヘアなどの気密部材を介在させてある。とくに、サッシ窓においては、引き寄せ装置や気密装置などが設けられているため、開放当初の抵抗が大きい。しかも、最近は省エネルギー効果の点から断熱サッシが主流になりつつあるが、断熱サッシの引き戸にはペアガラスが取り付けられ、また框も二重構造になっているものが多いので、全体重量が重くならざるをえない。特に大型のガラス障子は老齢者や病弱者には，開けることが容易でないという問題があった。
【０００３】
そこで、特にこのような障子の開閉操作性を上げるために、テコの原理を応用し、障子の開放初期始動時に小さな力で開操作ができるようにしたアシスト機構付引手が知られている。
【０００４】
例えば、下記特許文献１では、引き戸の戸先に固定された台座にレバーハンドルの中間部を回動自在に取り付け、レバーハンドルの一端をグリップ、他端を引き戸枠の縦枠を押圧可能な蹴り出し部とし、上記グリップを操作してレバーハンドルを回動させることにより蹴り出し部で引き戸枠を押圧したときの反力で引き戸を開く開き装置において、上記台座には引き戸の面と平行な開口部を貫通形成し、この開口部にレバーハンドルを貫通させ、非操作時には上記レバーハンドルの中間部と蹴り出し部とが収まるようにした引き戸の開き装置が提案されている。
【０００５】
また、下記特許文献２では、引違い窓または片引き窓における障子の戸先框に設けられた固定部と、この固定部に対して前記障子の開閉方向にスライド自在に取り付けられた操作部と、前記固定部に軸支されるとともに、一端が前記操作部に回動自在に連結され、当該操作部のスライドに伴って回動する回動部とを備え、前記障子を閉じた状態において、前記戸先框が当接した前記引違い窓または片引き窓の縦枠から離れる方向に前記操作部をスライドさせることで、回動した前記回動部の他端が前記縦枠に向かって突出するとともに、当該縦枠に当接し、前記障子を前記縦枠から離れる方向に付勢する開放補助機構付き引手が提案されている。
【先行技術文献】
【特許文献】
【０００６】
【特許文献１】特開２００３−１３６３４号公報
【特許文献２】特開２００５−９７９３３号公報
【発明の概要】
【発明が解決しようとする課題】
【０００７】
しかしながら、前記特許文献１に係る開き装置の場合は、障子縦框へ取り付けられる本体部からレバーが突出して形成されているため、外観が悪い、カーテンなどと干渉する、身体とぶつかりケガをすることがあるなどの問題があるとともに、前記レバーが内方側に突き出しているため、開窓時に障子の引き残しが大きくなってしまい、開口幅が狭くなり、網戸のパッキンが外障子の召合せ框に接触しなくなる不具合が生じるか該召合せ框の見付け寸法を大きくする必要があるなどの問題があった。
【０００８】
前記特許文献２に係る引手は、障子縦框へ取付られる本体部の上面に引手が重なる構造となっているため、前述した問題点の多くは解消されるものの、構造が複雑で構成部品も多いため製作費が嵩む、縦框の見付け幅をより狭くしたい障子への適用が困難であるなどの問題点があった。
【０００９】
また、窓枠の縦枠において障子よりも室内側位置に、見付け方向内側に突出する突条片が部材長手方向に沿って設けられている場合でも、開窓時の引き残しを少なくするとともに、十分な開口幅を確保するために、前記突条片と引手との間の間隔は小さく設定することになるが、そうすると、前記引手を摘んで障子を閉め切る際、前記突条片と引手との間の指が挟まれて事故に繋がる危険性があった。
【００１０】
そこで本発明の主たる課題は、レバーの突出を無くすとともに、見付け幅寸法を小さくできるようにしたアシスト機構付引手を備え、かつ障子を閉め切る際、窓枠の縦枠において障子よりも室内側位置に見付け方向内側に突出する突条片と引手との間に指が挟まれるような事故を未然に回避したサッシ窓及びこれに用いられるキャップ材を提供することにある。
【課題を解決するための手段】
【００１１】
前記課題を解決するために請求項１に係る本発明として、窓枠内部に外障子と内障子とがスライド可能に設置されるとともに、前記外障子の窓枠側縦框及び／又は前記内障子の窓枠側縦框に操作レバーの揺動に伴って揺動動作し窓枠を蹴り出して初期始動力を与えるアシスト機構付引手が取り付けられ、かつ前記窓枠の内、少なくとも一方側の縦枠において、前記障子よりも室内側位置に、見付け方向内側に突出する突条片が部材長手方向に沿って設けられているサッシ窓において、
前記縦枠の突条片は、前記アシスト機構付引手の取付位置に対応する部位が縦方向に所定範囲で切り欠かれていることを特徴とするサッシ窓が提供される。
【００１２】
上記請求項１記載の発明では、窓枠内部に外障子と内障子とがスライド可能に設置されるとともに、前記外障子の窓枠側縦框及び／又は前記内障子の窓枠側縦框にアシスト機構付引手が取り付けられ、かつ前記窓枠の内、少なくとも一方側の縦枠において、前記障子よりも室内側位置に、見付け方向内側に突出する突条片が部材長手方向に沿って設けられているサッシ窓において、前記縦枠の突条片は、前記アシスト機構付引手の取付位置に対応する部位が縦方向に所定範囲で切り欠かれているため、障子を閉め切る際、前記アシスト機構付引手を摘んでも縦枠の突条片との間に指が挟まれる事故を無くすことができる。
【００１３】
さらに、前記縦枠の突条片がアシスト機構付引手の取付位置に対応する部位が縦方向に所定範囲で切り欠かれているため、引手を窓枠に近接させた状態で取り付けできるようになり、障子の開口幅をより広く確保することが可能となる。
【００１４】
請求項２に係る本発明として、前記アシスト機構付引手は、台座部と、この台座部の上面に重ねて配置されるとともに、下端側又は上端側で前記台座部に軸支されることにより揺動自在とされ、かつ前記台座部の見付け幅とほぼ同等の見付け幅とされる操作レバーと、前記台座部に形成された凹部又は段部に配置され、中間部が前記台座部に軸支され揺動自在とされるとともに、前記台座部と操作レバーとが軸支されている側の端部が前記操作レバーに軸支され、前記操作レバーの揺動に伴って揺動動作し窓枠を蹴り出して初期始動力を与える蹴出し部材とから構成されている請求項１記載のサッシ窓が提供される。
【００１５】
上記請求項２記載の発明は、前記アシスト機構付引手の操作レバーは台座部の上面に重ねて配置されるとともに、操作レバーは台座部の見付け幅とほぼ同等の見付け幅となっているため、レバーの突出も無くなり美観が向上するとともに、他との干渉も無くなる。
【００１６】
また、開窓時の引き残しも少なくでき、十分な開口幅が確保できるため、網戸のパッキンが外障子の召合せ框に接触しなくなる不具合が生じることがないとともに、該召合せ框の見付け寸法を特段に大きくする必要性が無くなる。更には、基本構成部材は、台座部と操作レバーと蹴出し部材からなる単純な構造であるため、製作費も安価となる。
【００１７】
請求項３に係る本発明として、前記突条片の切欠き部を覆うキャップ材を取り付けてある請求項１、２いずれかに記載のサッシ窓が提供される。
【００１８】
上記請求項３記載の発明は、前記突条片の切欠き部を覆うキャップ材を取り付けるようにしたものである。従って、突条片を切り欠いたバリの露出を防ぐことができ、安全性が向上するとともに、外観が良好となり意匠性が向上する。
【００１９】
請求項４に係る本発明として、前記縦枠には障子に近接させて第２の突条片が形成されるとともに、この第２突条片が前記アシスト機構付引手の蹴出し部材が当接する当接部材とされ、前記キャップ材に、前記第２突条片の蹴出し部材当接部位を覆う当接カバー部を一体的に形成してある請求項３記載のサッシ窓が提供される。
【００２０】
上記請求項４記載の発明は、前記縦枠には障子に近接させて第２の突条片が形成されるとともに、この第２突条片が前記アシスト機構付引手の蹴出し部材が当接する当接部材とされ、前記キャップ材に、前記第２突条片の蹴出し部材当接部位を覆う当接カバー部を一体的に形成したものである。従って、第２突条片の蹴出し部材当接部位が摩擦によってすり減ることがなくなり、当接カバー部がすり減っても前記キャップ材の交換だけで対応することが可能となる。
【００２１】
請求項５に係る本発明として、板状部材の上下端部にそれぞれ前記突条片の切欠き縁が嵌合される定着部が形成されるとともに、中間部に前記第２突条片の蹴出し部材当接部位を覆う当接カバー部が形成されたことを特徴とする請求項１〜４いずれかに記載のサッシ窓に用いられるキャップ材が提供される。
【発明の効果】
【００２２】
以上詳説のとおり本発明によれば、アシスト機構付引手は、レバーの突出が無くなるとともに、見付け幅寸法を小さくできるようになる。また、障子を閉め切る際、窓枠の縦枠において障子よりも室内側位置に見付け方向内側に突出する突条片と引手との間に指が挟まれるような事故を未然に回避することができる。
【図面の簡単な説明】
【００２３】
【図１】本発明に係るサッシ窓Ｗを示す、(A)は閉窓横断面図、(B)は開窓横断面図である。
【図２】サッシ窓Ｗに対するキャップ材１７の取付状態を示す斜視図である。
【図３】アシスト機構付引手１の斜視図（平常時）である。
【図４】障子開操作時の作動状態を示す斜視図である。
【図５】障子縦框への取付状態を示す斜視図である。
【図６】アシスト機構付引手１の縦断面図である。
【図７】台座部２を示す、(A)は側面図、(B)は正面図である。
【図８】操作レバー３を示す、(A)は側面図、(B)は正面図である。
【図９】蹴出し部材４を示す、(A)は側面図、(B)は正面図である。
【図１０】サッシ窓Ｗに対するキャップ材１７の取付要領を示す斜視図である。
【図１１】キャップ材１７を示す、(A)は側面図、(B)は正面図、(C)は(B)のＣ−Ｃ線矢視図である。
【図１２】操作レバー３及び蹴出し部材４の揺動状態を示す概略図である。
【図１３】(A)〜(D)は操作量に応じた操作レバー３と蹴出し部材４の揺動角を示す作動図である。
【図１４】台座２に対する蹴出し部材４の設置態様の変形例を示す概略図である。
【発明を実施するための形態】
【００２４】
以下、本発明の実施の形態について図面を参照しながら詳述する。
【００２５】
図１及び図２に示されるように、本発明に係るサッシ窓Ｗは、窓枠１６の内部に外障子１４と内障子１５とがスライド可能に設置され、障子の外側に網戸１３を備えるものである。本例では、外障子１４の窓枠側縦框と、内障子１５の窓枠側縦框とに夫々、アシスト機構付引手１、１が取り付けられ、かつ窓枠１６の内、外障子１４側の縦枠において、外障子１４よりも室内側位置に、見付け方向内側に突出する突条片１６ａが部材長手方向に沿って設けられている。なお、内障子１５側の縦枠においては、別途、当接対象部材１８が設けられている。
【００２６】
一方、縦枠の突条片１６ａには、図２に示されるように、前記アシスト機構付引手１の取付位置に対応する部位が縦方向に所定範囲で切り欠かれた切欠き部１６ｂが形成され、この切欠き部１６ｂには、該切欠き部１６ｂを覆うキャップ材１７が取り付けられている。
【００２７】
以下、更に具体的に詳述する。
【００２８】
図３〜図６に示されるように、アシスト機構付引手１は、基本的に、障子の窓枠側縦框に取り付けられる台座部２と、この台座部２の上面に重ねて配置されるとともに、下端側又は上端側で前記台座部に軸支されることにより揺動自在とされ、かつ前記台座部の見付け幅とほぼ同等の見付け幅とされる操作レバー３と、前記台座部２の中間に形成された凹部２０に配置され、中間部が台座部に軸支され揺動自在とされるとともに、前記台座部２と操作レバー３との軸支側端部が前記操作レバー３に軸支され、前記操作レバー３の揺動に伴って揺動動作し窓枠を蹴り出して初期始動力を与える蹴出し部材４とからなるものである。
【００２９】
前記アシスト機構付引手１の台座部２は、詳細には図７に示されるように、平面視で縦長に矩形状に成形された略立方体状の部材であり、部材長手方向の中間部は、蹴出し部材４を収容する凹部２０が形成されているとともに、この凹部２０内に蹴出し部材４を軸支するための軸設置孔２１が形成されている。また、上下部にはそれぞれ障子縦框への取付のためにビス孔２２、２３が形成されているとともに、下端部に操作レバー３を軸支するための軸設置孔２４が形成され、さらに上部側には、左右両側にスリット状のストッパー設置孔２５、２５が形成されている。ストッパー１０は、同図に示されるように、相対的に高さの高いストッパー壁１０ａと、これに対峙するとともに、相対的に高さの低い起立壁１０ｂと、これらを結合する結合部１０ｃとからなる小片状部材であり、前記台座部２の裏面側から前記ストッパー壁１０ａと起立壁１０ｂとを夫々、前記ストッパー設置孔２５、２５に嵌合させるように設置し、前記ストッパー壁１０ａのみを台座部２の上面から突出させる。前記ストッパー壁１０ａを左右いずれかのストッパー設置孔２５から突出させるかによって、後述する操作レバー３の一方側への回動を規制するようになっている。なお、台座部２の側面に設けられた矩形状でかつ若干の隆起部２７は、障子を全開した際に召合せ框に対する当接部である。
【００３０】
前記操作レバー用軸設置孔２４の上部位置には、バネ設置孔２６が設けられており、図６に示されるように、嵌合されたバネ５の半分が台座部２に掛かり、残り半分が操作レバー３側に掛かることによって、操作レバー３を揺動させた際に、バネ部材の復元力によって、操作レバー３を元の垂直位置に戻すように付勢力を作用させるようになっている。なお、図６に示されるように、前記台座部２の裏面側には、ストッパー１０を設置した状態で裏蓋６が設けられるとともに、この裏蓋６が蹴出し部材４を軸支するための軸部材７及び操作レバー３を軸支するための軸部材８を裏面側で軸受けする部材を兼ねている。
【００３１】
前記操作レバー３は、詳細には図８に示されるように、平面視で縦長に矩形状に成形された略立方体状の部材であり、前記台座部２の見付け幅（短辺寸法）とほぼ同等の見付け幅とされ、台座部２の上面に重ねて配置される。下端側に形成された軸設置孔３０に設置された軸部材８によって前記台座部２に軸支されることにより揺動自在とされ、前記軸設置孔３０の上部側には蹴出し部材４を軸支するための軸設置孔３１が形成されている。また、上面には指を掛けるための窪み３４が形成されている。なお、最下端に設けられた孔３２は、台座部２を固定するビスを貫通させるための挿通孔である。また、前記軸設置孔３０、３１及び挿通孔３２を覆い隠すためのカバー材１１が着脱自在に設けられている。
【００３２】
前記操作レバー３の上部側側壁には、前記ストッパー壁１０ａの先端側形状にほぼ整合する形状で切欠き３３が設けられている。この切欠き３３の周縁は斜めにカットされており、前記ストッパー壁１０ａの先端側周縁が半円弧状に加工され、この先端側周縁のみが前記切欠き３３の周縁と衝合するようになっている。これにより、正面から見た際、前記ストッパー壁１０ａが外側に突出せず、操作レバー３によって隠されるようになっている。
【００３３】
前記蹴出し部材４は、詳細には図９に示されるように、前記台座部２の凹部２０に収容可能な寸法とされ、正面から見た際に、前記操作レバー３によって覆い隠され露出しない寸法とされる。中央よりやや下側に、台座部２に対して軸部材７によって軸支するための軸設置孔４０が形成されているとともに、その下側位置に前記操作レバー３に対して軸部材９によって軸支するための軸設置孔４１が形成されている。また、窓枠に対する当接面となる両側面には、着脱可能な当接部材１２が嵌設されている。なお、前記軸設置孔４１は、縦方向に長い長孔とされ、この長孔長さによって前記操作レバー３の揺動範囲が決定される。
【００３４】
一方、前記縦枠の突条片１６ａは、図２に示されるように、縦枠の内面側に部材方向に沿って形成された見付け方向内側に突出する複数の突条片の内、外障子１４からやや距離をおいて室内側に位置する突条片であり、前記突条片１６ａには、前記アシスト機構付引手１の取付位置に対応する部位が縦方向に、少なくとも前記アシスト機構付引手１の取付長さを含む範囲で切り欠かれた切欠き部１６ｂが設けられている。
【００３５】
また、前記縦枠には、外障子１４の室内側に近接させて第２の突条片１６ｃが形成されている。この第２突条片１６ｃは、先端部にビード又はモヘアなどの気水密保持材を支持し、外障子１４を閉めた際、外障子１４の縦框に接触することにより気水密性を保持するためのものである。また、この第２の突条片１６ｃは前記アシスト機構付引手１の蹴出し部材４が当接する当接部材を兼ねるものである。
【００３６】
図２に示されるように、前記切欠き部１６ｂにはキャップ材１７が取り付けられ、切欠き縁が綺麗に覆われている。前記キャップ材１７は、詳細には図１１に示されるように、板状部材１７ｂの上下端部にそれぞれ前記突条片１６ａの切欠き縁が嵌合される溝を備えた定着部１７ａ、１７ａが形成されるとともに、前記板状部材１７ｂの上下方向中間部に前記第２突条片１６ｃの蹴出し部材４の当接部位を覆う当接カバー部１７ｃが形成された部材である。前記定着部１７ａには、切欠き縁を嵌合させる薄溝部が形成され、前記当接カバー部１７ｃは、前記板状部材１７ｂから延在して見付け方向内側に起立する起立片１７ｄと、該起立片１７ｄの先端部から室外側方向に突出し前記突条片１６ｃの先端を覆うとともに、前記蹴出し部材４が当接する被当接片１７ｅとからなる。
【００３７】
以上詳述したアシスト機構付引手１においては、図４に示されるように、操作レバー３の窪み３４に指を掛けて障子を開方向に引くと、操作レバー３が軸部材８を揺動中心として揺動を開始する。操作レバー３が揺動すると、蹴出し部材４との連結部となっている軸部材９が同方向に揺動し、これに伴って蹴出し部材４の上端側（蹴出し側）が窓枠方向に突出するように揺動し、窓枠（前記キャップ材１７の当接カバー部１７ｃ部）を蹴り出して初期始動力を与える。
【００３８】
ところで、前記蹴出し部材４において、軸部材９の位置は、操作レバー３の揺動角αよりも蹴り出し部材の揺動角βが大きくなる位置に設定するのが良い。具体的には、図１２に示されるように、操作レバー３の揺動角をαとするとき、蹴出し部材４の揺動角βは軸部材７と軸部材９との離隔距離Ｓに依存することになるから、この離隔距離Ｓを、蹴出し部材揺動角β＞操作レバー揺動角αとなるように設定する。もちろん、蹴出し部材４の突出量は、軸部材７から蹴出し側先端までの部材長によっても変化するが、蹴出し部材４の揺動角βを大きく確保することにより、操作レバー３の少ない操作量で蹴出しすることができ、操作性が向上する。
【００３９】
たとえば、図１２において、軸部材７と軸部材８との離隔距離Ｌ：４５mm、軸部材７と軸部材９との離隔距離Ｓ：１９．０５mmとした場合の例について、図１３に基づいて説明すると、図１３(A)の操作前の状態から図１３(B)に示すように、操作レバー３を５．０°揺動させると、蹴出し部材４の揺動角βは７．４°となり、図１３(C)に示すように、操作レバー３を１３．６°揺動させると、蹴出し部材４の揺動角βは１８．７°となり、図１３(D)に示すように、操作レバー３を１７．９°揺動させると、蹴出し部材４の揺動角βは２３．２°となる。
【００４０】
図１(B)に示されるように、本サッシ窓Ｗでは、レバーの突出を無くすとともに、見付け幅寸法を小さくできるため、開窓時の引き残しも少なくでき、十分な開口幅が確保できるようになるとともに、網戸１３のパッキンが外障子１４の召合せ框に接触しなくなるなどの不具合も無くなる。
【００４１】
さらに、開窓状態から障子を閉め切る際、前記縦枠の突条片１６ａは、前記アシスト機構付引手１の取付位置に対応する部位が縦方向に所定範囲で切り欠かれているため（切欠き部１６ｂ）、窓枠１６と引手１との間に指が挟まれるような事故を未然に回避することができる。
【００４２】
〔他の形態例〕
(1)上記形態例では、操作レバー３は下端側を回転中心として揺動操作させるようにしたが、上端側を回転中心として揺動操作するように取り付けてもよい。
(2)上記形態例では、台座部２の中間に凹部２０を形成し、該凹部２０に蹴出し部材４を配置するようにしたが、図１４に示されるように、台座部２に段部２０’を形成し、この段部２０’に前記蹴出し部材４を配置するようにしてもよい。
【符号の説明】
【００４３】
１…アシスト機構付引手、２…台座部、３…操作レバー、４…蹴出し部材、５…バネ、６…当接部材、１０…ストッパー、１１…カバー材、１２…当接部材、１３…網戸、１４…外障子、１５…内障子、１６…窓枠、１６ａ…突条片、１６ｂ…切欠き部、１６ｃ…第２突条片、１７…キャップ材、１７ａ…定着部、１７ｃ…当接カバー部、Ｗ…サッシ窓
【図１】
2010174540.tif 000003
【図２】
2010174540.tif 000004
【図３】
2010174540.tif 000005
【図４】
2010174540.tif 000006
【図５】
2010174540.tif 000007
【図６】
2010174540.tif 000008
【図７】
2010174540.tif 000009
【図８】
2010174540.tif 000010
【図９】
2010174540.tif 000011
【図１０】
2010174540.tif 000012
【図１１】
2010174540.tif 000013
【図１２】
2010174540.tif 000014
【図１３】
2010174540.tif 000015
【図１４】
2010174540.tif 000016